【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
ディスプレイスクリーンにおいてユーザに表示される複数のメディア・アセットのための複数のメディア・アセット表現を提供するステップと、
前記複数のメディア・アセットの中からのメディア・アセットの選択のインジケーションを受け取るステップであって、該選択は、前記ユーザが当該選択をされるメディア・アセットを前記ディスプレイスクリーン上の予め指定された位置に動かすことによって行われる、ステップと、
前記インジケーションに応答して関連するメディア・アセットのレコメンデーションを提供するステップであって、該レコメンデーションは、前記ディスプレイスクリーン上の他の位置において提供され、該他の位置の夫々は、複数のメディア関連カテゴリの夫々１つに関連する、ステップと
を有する方法。
【請求項２】
他の選択されたメディア・アセットのインジケーションを受け取るステップであって、該他の選択されたメディア・アセットは、前記関連するメディア・アセットのレコメンデーションの中から選択される、ステップと、
前記他の選択されたメディア・アセットのための前記関連するメディア・アセットの更なるレコメンデーションを提供するステップと
を更に有する請求項１に記載の方法。
【請求項３】
前記複数のメディア関連カテゴリは、役者カテゴリ、監督カテゴリ、前記選択をされるメディア・アセットが公に利用可能になった１０年紀に対応する１０年紀カテゴリ、製作者カテゴリ、スタジオカテゴリ、及びジャンルカテゴリのうちの少なくとも１つを含む、
請求項１に記載の方法。
【請求項４】
前記予め指定された位置は、前記ディスプレイスクリーンの中心であり、前記他の位置の少なくとも１つは、前記ディスプレイスクリーンの象限を有する、
請求項１に記載の方法。
【請求項５】
前記複数のメディア関連カテゴリの中から１つ以上のメディア関連カテゴリを選択する前記ユーザからの１つ以上の入力を受けるステップを更に有し、
前記レコメンデーションは、前記複数のメディア関連カテゴリの中の前記選択された１つ以上のメディア関連カテゴリのためにのみ提供される、
請求項１に記載の方法。
【請求項６】
前記ユーザからの前記１つ以上の入力は、ユーザインタフェース及びメニューのうちの少なくとも１つにより前記ユーザによって提供される、
請求項５に記載の方法。
【請求項７】
前記ディスプレイスクリーンは、ユーザインタフェースに含まれる、
請求項１に記載の方法。
【請求項８】
ディスプレイスクリーンにおいてユーザに表示される複数のメディア・アセットのための複数のメディア・アセット表現を提供するメディア記述データベースと、
前記複数のメディア・アセットの中からのメディア・アセットの選択のインジケーションを受け取り、該インジケーションに応答して関連するメディア・アセットのレコメンデーションを提供する関連メディア・アセット検索部と
を有し、
前記選択は、前記ユーザが当該選択をされるメディア・アセットを前記ディスプレイスクリーン上の予め指定された位置に動かすことによって行われ、前記レコメンデーションは、前記ディスプレイスクリーン上の他の位置において提供され、該他の位置の夫々は、複数のメディア関連カテゴリの夫々１つに関連する、
システム。
【請求項９】
前記関連メディア・アセット検索部は、
他の選択されたメディア・アセットのインジケーションを受け取り、該他の選択されたメディア・アセットが、前記関連するメディア・アセットのレコメンデーションの中から選択され、
前記他の選択されたメディア・アセットのための前記関連するメディア・アセットの更なるレコメンデーションを提供する、
請求項８に記載のシステム。
【請求項１０】
前記複数のメディア関連カテゴリは、役者カテゴリ、監督カテゴリ、前記選択をされるメディア・アセットが公に利用可能になった１０年紀に対応する１０年紀カテゴリ、製作者カテゴリ、スタジオカテゴリ、及びジャンルカテゴリのうちの少なくとも１つを含む、
請求項８に記載のシステム。
【請求項１１】
前記予め指定された位置は、前記ディスプレイスクリーンの中心であり、前記他の位置の少なくとも１つは、前記ディスプレイスクリーンの象限を有する、
請求項８に記載のシステム。
【請求項１２】
前記関連メディア・アセット検索部は、前記複数のメディア関連カテゴリの中から１つ以上のメディア関連カテゴリを選択する前記ユーザからの１つ以上の入力を受け、
前記レコメンデーションは、前記複数のメディア関連カテゴリの中の前記選択された１つ以上のメディア関連カテゴリのためにのみ提供される、
請求項８に記載のシステム。
【請求項１３】
前記ユーザからの前記１つ以上の入力は、ユーザインタフェース及びメニューのうちの少なくとも１つにより前記ユーザによって提供される、
請求項１２に記載のシステム。
【請求項１４】
前記ディスプレイスクリーンは、ユーザインタフェースに含まれる、
請求項８に記載のシステム。
【請求項１５】
コンピュータによって実行される場合に、該コンピュータに、
ディスプレイスクリーンにおいてユーザに表示される複数のメディア・アセットのための複数のメディア・アセット表現を提供するステップと、
前記複数のメディア・アセットの中からのメディア・アセットの選択のインジケーションを受け取るステップであって、該選択は、前記ユーザが当該選択をされるメディア・アセットを前記ディスプレイスクリーン上の予め指定された位置に動かすことによって行われる、ステップと、
前記インジケーションに応答して関連するメディア・アセットのレコメンデーションを提供するステップであって、該レコメンデーションは、前記ディスプレイスクリーン上の他の位置において提供され、該他の位置の夫々は、複数のメディア関連カテゴリの夫々１つに関連する、ステップと
を有する方法を実行させるコンピュータ実行可能コードを有するプログラム。
【手続補正２】
【補正対象書類名】明細書
【補正対象項目名】００６４
【補正方法】変更
【補正の内容】
【００６４】
実例となる実施形態が添付の図面を参照してここで記載されてきたが、本原理は、それらの厳密な実施形態に制限されず、様々な変更及び改良は、本原理の適用範囲又は主旨から逸脱することなしに、それらにおいて当業者によって達成され得ることが理解されるべきである。全てのそのような変更及び改良は、添付の特許請求の範囲で特定される本原理の適用範囲内に含まれるよう意図される。  
上記の実施形態に加えて、以下の付記が開示される。
（付記１）
ディスプレイスクリーンにおいてユーザに表示される複数のメディア・アセットのための複数のメディア・アセット表現を提供するステップと、
前記複数のメディア・アセットの中からのメディア・アセットの選択のインジケーションを受け取るステップであって、該選択は、前記ユーザが当該選択をされるメディア・アセットを前記ディスプレイスクリーン上の予め指定された位置に動かすことによって行われる、ステップと、
前記インジケーションに応答して関連するメディア・アセットのレコメンデーションを提供するステップであって、該レコメンデーションは、前記ディスプレイスクリーン上の他の位置において提供され、該他の位置の夫々は、複数のメディア関連カテゴリの夫々１つに関連する、ステップと
を有する方法。
（付記２）
他の選択されたメディア・アセットのインジケーションを受け取るステップであって、該他の選択されたメディア・アセットは、前記関連するメディア・アセットのレコメンデーションの中から選択される、ステップと、
前記他の選択されたメディア・アセットのための前記関連するメディア・アセットの更なるレコメンデーションを提供するステップと
を更に有する付記１に記載の方法。
（付記３）
前記複数のメディア関連カテゴリは、役者カテゴリ、監督カテゴリ、前記選択をされるメディア・アセットが公に利用可能になった１０年紀に対応する１０年紀カテゴリ、製作者カテゴリ、スタジオカテゴリ、及びジャンルカテゴリのうちの少なくとも１つを含む、
付記１に記載の方法。
（付記４）
前記予め指定された位置は、前記ディスプレイスクリーンの中心であり、前記他の位置の少なくとも１つは、前記ディスプレイスクリーンの象限を有する、
付記１に記載の方法。
（付記５）
前記複数のメディア関連カテゴリの中から１つ以上のメディア関連カテゴリを選択する前記ユーザからの１つ以上の入力を受けるステップを更に有し、
前記レコメンデーションは、前記複数のメディア関連カテゴリの中の前記選択された１つ以上のメディア関連カテゴリのためにのみ提供される、
付記１に記載の方法。
（付記６）
前記ユーザからの前記１つ以上の入力は、ユーザインタフェース及びメニューのうちの少なくとも１つにより前記ユーザによって提供される、
付記５に記載の方法。
（付記７）
前記ディスプレイスクリーンは、ユーザインタフェースに含まれる、
付記１に記載の方法。
（付記８）
ディスプレイスクリーンにおいてユーザに表示される複数のメディア・アセットのための複数のメディア・アセット表現を提供するメディア記述データベースと、
前記複数のメディア・アセットの中からのメディア・アセットの選択のインジケーションを受け取り、該インジケーションに応答して関連するメディア・アセットのレコメンデーションを提供する関連メディア・アセット検索部と
を有し、
前記選択は、前記ユーザが当該選択をされるメディア・アセットを前記ディスプレイスクリーン上の予め指定された位置に動かすことによって行われ、前記レコメンデーションは、前記ディスプレイスクリーン上の他の位置において提供され、該他の位置の夫々は、複数のメディア関連カテゴリの夫々１つに関連する、
システム。
（付記９）
前記関連メディア・アセット検索部は、
他の選択されたメディア・アセットのインジケーションを受け取り、該他の選択されたメディア・アセットが、前記関連するメディア・アセットのレコメンデーションの中から選択され、
前記他の選択されたメディア・アセットのための前記関連するメディア・アセットの更なるレコメンデーションを提供する、
付記８に記載のシステム。
（付記１０）
前記複数のメディア関連カテゴリは、役者カテゴリ、監督カテゴリ、前記選択をされるメディア・アセットが公に利用可能になった１０年紀に対応する１０年紀カテゴリ、製作者カテゴリ、スタジオカテゴリ、及びジャンルカテゴリのうちの少なくとも１つを含む、
付記８に記載のシステム。
（付記１１）
前記予め指定された位置は、前記ディスプレイスクリーンの中心であり、前記他の位置の少なくとも１つは、前記ディスプレイスクリーンの象限を有する、
付記８に記載のシステム。
（付記１２）
前記関連メディア・アセット検索部は、前記複数のメディア関連カテゴリの中から１つ以上のメディア関連カテゴリを選択する前記ユーザからの１つ以上の入力を受け、
前記レコメンデーションは、前記複数のメディア関連カテゴリの中の前記選択された１つ以上のメディア関連カテゴリのためにのみ提供される、
付記８に記載のシステム。
（付記１３）
前記ユーザからの前記１つ以上の入力は、ユーザインタフェース及びメニューのうちの少なくとも１つにより前記ユーザによって提供される、
付記１２に記載のシステム。
（付記１４）
前記ディスプレイスクリーンは、ユーザインタフェースに含まれる、
付記８に記載のシステム。
（付記１５）
ディスプレイスクリーンにおいてユーザに表示される複数のメディア・アセットのための複数のメディア・アセット表現を提供するステップと、
前記複数のメディア・アセットの中からのメディア・アセットの選択のインジケーションを受け取るステップであって、該選択は、前記ユーザが当該選択をされるメディア・アセットを前記ディスプレイスクリーン上の予め指定された位置に動かすことによって行われる、ステップと、
前記インジケーションに応答して関連するメディア・アセットのレコメンデーションを提供するステップであって、該レコメンデーションは、前記ディスプレイスクリーン上の他の位置において提供され、該他の位置の夫々は、複数のメディア関連カテゴリの夫々１つに関連する、ステップと
を有する方法を実行するためのコンピュータ実行可能コードを記憶した非一時的なコンピュータ可読記憶媒体。